(57)【要約】【課題】貯蔵室の扉を開いたときに引き出し式の容器が一目で視認できる冷蔵庫を提供することを目的とする。【解決手段】冷蔵庫１０の冷蔵室１４に設けられた引き出し式の容器４０、４２、４４と、各容器４０、４２、４４の前面の周囲に設けられた枠５８、８８、１１８とを有し、枠５８、８８、１１８が連続するように設けられている。【選択図】      図１
2012083079.tif 000002
【特許請求の範囲】
【請求項１】
冷蔵庫の本体と、
前記本体に設けられた貯蔵室と、
前記貯蔵室内に引き出し可能に配置された複数の容器と、
を有する冷蔵庫において、
複数の前記容器が隣接して配され、
前記容器の前面の周囲の少なくも一部に枠が設けられ、
前記枠が、隣接する前記容器の前記枠と連続するように設けられている、
ことを特徴とする冷蔵庫。
【請求項２】
複数の前記容器の各前面によって構成される全体の前面形状が略矩形状になるように、複数の前記容器が配置され、
前記全体の前面形状における前記各枠によって構成される形状が環状になるように、前記各枠が前記各容器の周囲の一部にそれぞれ設けられている、
ことを特徴とする請求項１に記載の冷蔵庫。
【請求項３】
前記容器の上部に設けられた前記枠は、前記容器の前面と一部が離間して設けられ、手かけ部を形成している、
ことを特徴とする請求項１又は２に記載の冷蔵庫。
【請求項４】
隣接する前記容器に設けられた前記各枠の相対向する部分には、仕切り部がそれぞれ設けられている、
ことを特徴とする請求項３に記載の冷蔵庫。
【請求項５】
複数の前記容器が、上下に配され、
下方に配された前記容器には、手かけ部が設けられている、
ことを特徴とする請求項１乃至４のいずれか一項に記載の冷蔵庫。
【請求項６】
前記貯蔵室には、観音開き式の扉が設けられ、
前記扉の裏側には、ドアポケットが設けられている、
ことを特徴とする請求項１乃至５のいずれか一項に記載の冷蔵庫。
【発明の詳細な説明】
【技術分野】
【０００１】
本発明の実施形態は、冷蔵庫に関するものである。
【背景技術】
【０００２】
従来より、冷蔵庫の貯蔵室、特に冷蔵室には、卵、ヨーグルトなどの食品を収納するための引き出し式の容器が複数配置されている。
【先行技術文献】
【特許文献】
【０００３】
【特許文献１】特開２００７−２４４０５号公報
【発明の概要】
【発明が解決しようとする課題】
【０００４】
しかし、上記冷蔵庫において、冷蔵室の扉を開けたときに、容器が冷蔵室の背景と同化して、冷蔵庫の使用者が、何処に容器が有るかが視認し難いという問題点があった。
【０００５】
そこで、本発明は上記問題点に鑑み、貯蔵室の扉を開いたときにの容器が簡単に視認できる冷蔵庫を提供することを目的とする。
【課題を解決するための手段】
【０００６】
本発明の実施形態は、冷蔵庫の本体と、前記本体に設けられた貯蔵室と、前記貯蔵室内に引き出し可能に配置された複数の容器と、を有する冷蔵庫において、複数の前記容器が隣接して配され、前記容器の前面の周囲の少なくも一部に枠が設けられ、前記枠が、隣接する前記容器の前記枠と連続するように設けられている、ことを特徴とする冷蔵庫である。
【図面の簡単な説明】
【０００７】
【図１】本発明の一実施例を示す冷蔵庫の観音式扉を開いた状態の上部のみの斜視図である。
【図２】左上容器の斜視図である。
【図３】左上容器の縦断面図である。
【図４】左下容器の斜視図である。
【図５】左下容器の縦断面図である。
【図６】枠を外した右容器の斜視図である。
【図７】枠を取り付けた右容器の斜視図である。
【図８】左上容器と右容器の接する部分の拡大縦断面図である。
【発明を実施するための形態】
【０００８】
以下、本発明の一実施例の冷蔵庫１０について図１〜図８に基づいて説明する。
【０００９】
（１）冷蔵庫１０の構造
本実施例の冷蔵庫１０の構造について図１に基づいて説明する。
【００１０】
図１に示すように、冷蔵庫１０のキャビネット１２は、内箱と外箱とより形成されその間に断熱材が挟まれている。このキャビネット１２には、上段より冷蔵室１４、野菜室１６、不図示の製氷室、冷凍室が設けられている。
【００１１】
冷蔵室１４には、観音開き式の扉１８，２０が設けられ、野菜室１６には引き出し式の扉２２が設けられている。
【００１２】
冷蔵室１４の観音開き式の扉１８，２０の裏面には、ペットボトルなどを収納するためのドアポケット２４、２６，２８がそれぞれ設けられている。
【００１３】
冷蔵室１４内部は、４段の棚板３０，３２，３４，３６が水平に載置されている。最下段の棚板３６は透明板であって、棚板３６の下方の左側部には、製氷室にある製氷装置に水を送るための貯水タンク３８が設けられ、また、棚板３６の下方には、３個の引き出し式の容器４０，４２，４４が収納できる容器収納空間が設置されている。
【００１４】
（２）容器４０，４２，４４の構造
３個の引き出し式の容器は、棚板３６の右側下方に配置された右容器４０と、左側の上に配置された左上容器４２と、その下段に配された左下容器４４とから構成され、３個の容器４０，４２，４４の前面の全体形状が長方形を構成している。
【００１５】
左上容器４２について図２、図３、図８に基づいて説明する。
【００１６】
図２に示すように、左上容器４２は、透明な合成樹脂より形成され、前面４６、後面４８、左側面５０、右側面５２、底面５４とから構成された箱形であり、上面は開口し、パックに入った卵などの収納できる。左右両側面５０，５２の水平方向には、左上容器４２を引き出し可能にするための左右一対のレール５６，５６が突出している。左側面５０に設けられたレール５６は、貯水タンク３８との間に立設された不図示の仕切り壁の上部に水平方向に設けられたレール受け部に嵌合する。一方、右側面５２に設けられたレール５６は、右容器４０との間に立設された不図示の仕切り壁の上部に水平方向に設けられたレール受け部に嵌合する。これによって、左上容器４２は、前方に引き出し可能となっている。
【００１７】
図３に示すように、前面４６の上部、左側部には、横方向に延びた上部材５９と縦方向に延びた左部材６１からなる逆Ｌ字状の枠５８が取り付けられる。枠５８の上部材５９の上部の後端部には、突部６８が下方に突出し、この前面４６の上端部に沿って設けられた溝６０に係合する。また、図８に示すように、前面４６の上部材５９の右端部には、Ｕ字状に突部６８が突出し、この突部６８の底面右側部には溝７０が前後方向に設けられている。そして、枠５８の上部材５９の右端部には仕切り板７２が下方に延設され、この仕切り板７２の下端から左側に突出した係合爪７４が溝７０に係合する。これら係合によって枠５８が、前面４６に固定される。そして、図３に示すように、前面４６の下部は、その上部より膨出した形状であり、枠５８を固定すると、前部４６と離間した隙間があり、枠５８が手かけ部の役割も兼用する。
【００１８】
次に、左下容器４４の構造について図４と図５に基づいて説明する。
【００１９】
図４に示すように、左下容器４４は、前面７６、後面７８、右側面８０、左側面８２、底面８４とより構成された箱型であり、上面が開口し、チューブに入った調味料などが寝かせて収納できる。左右両側面８０，８２の水平方向には、左下容器４４を引き出し可能にするための左右一対のレール１０４，１０４が突出している。左側面８０に設けられたレール１０４は、貯水タンク３８との間に立設された不図示の仕切り壁の下部に水平方向に設けられたレール受け部に嵌合する。一方、右側面８２に設けられたレール１０４は、右容器４０との間に立設された不図示の仕切り壁の下部に水平方向に設けられたレール受け部に嵌合する。これによって、左下容器４４は、前方に引き出し可能となっている。
【００２０】
図４に示すように、左下容器４４の前面７６の上部中央部には、後方に凹んだ手かけ部８６が形成されている。
【００２１】
図５に示すように、前面７６の左側部と下部には、横方向に延びた下部材９２と縦方向に延びた左部材９０からなるＬ字状の枠８８が取り付けられる。枠８８の下部材９２の下端には、後方に延設された延設部９４が形成され、この延設部９４には係合孔９６が設けられ、左下容器４４の底面８４の前端部から突出した係合爪９８と係合する。また、枠８８の下部材９２の上端部は、後方に折曲されて折曲部１００が形成され、この折曲部１００が前面７６から水平方向に形成された溝１０２に嵌め込まれる。これら係合によって枠８８が、前面７６に固定される。
【００２２】
次に、右容器４０の構造について図１、図６、図７、図８に基づいて説明する。
【００２３】
図１に示すように、右容器４０は、左上容器４２と左下容器４４を上下方向に積み重ねた高さと略同じ高さを有し、図６、図７に示すように、前面１０６、後面１０８、左側面１１０、右側面１１２、底面１１４とより構成された箱形であり、上面が開口し、ヨーグルトなどが収納できる。
【００２４】
右容器４０を引き出し可能にするための左右一対のレール１１６，１１６が突出している。右側面１１２に設けられたレール１１６は、冷蔵室１４の右側面の下部に水平方向に設けられた不図示のレール受け部に嵌合する。一方、左側面１１０に設けられたレール１１６は、左上容器４２、左下容器４４との間に立設された不図示の仕切り壁に水平方向に設けられたレール受け部に嵌合する。これによって、右容器４０は、前方に引き出し可能となっている。
【００２５】
図６、図７に示すように、右容器４０の前面１０６には、コの字状の枠１１８が取り付けられる。この枠１１８は、上部材１２０、右部材１２２、下部材１２４とより構成され、前面１０６の上部、右側部、下部に取り付けられる。この取り付け構造は、左上容器４２の枠５８と左下容器４４の枠８８と同様に係合爪と係合孔によって固定される。また、図８に示すように、前面１０６の上部材１２０の左端部には、Ｕ字状に突部１２８が突出し、この突部１２８の底面左側部には溝１３０が前後方向に設けられている。そして、枠８８の上部材１２０の左端部には仕切り板１２６が下方に延設され、この仕切り板１２６の下端から左側に突出した係合爪１３２が溝１３０に係合する。そして、図７に示すように、前面１０６の下部は、その上部より膨出した形状であり、枠１１８を固定すると、前部１０６と離間した隙間があり、枠１１８が手かけ部の役割も兼用する。
【００２６】
上記のようにして逆Ｌ字状の枠５８を有する左上容器４２と、Ｌ字状の右８８を有する左下容器４４と、コの字状の枠１１８を有する右容器４０を、それぞれ棚板３６の下方の容器収納空間に配置すると、図１に示すように、枠５８、１１８、１１８が、右容器４０、左上容器４２、左下容器４４の周囲を環状に囲むようになる。
【００２７】
（３）効果
上記冷蔵庫であると、右容器４０、左上容器４２、左下容器４４の周囲に環状に枠５８、８８、１１８が配置されることによって、扉１８，２０を開けたときに、冷蔵庫１０の使用者が簡単に右容器４０、左上容器４２、左下容器４４を認識することができる。特に、環状の枠５８、８８、１１８の中に容器が存在するため、使用者の目を引き易く、より視認を確実にすることができる。
【００２８】
また、左上容器４２の枠５８と右容器４０の枠１１８とは、前面４６、１０６とから離間した状態で配置されているため、手かけ部としての役割を果たすことができ、右容器４０、左上容器４２を簡単に引き出すことができる。
【００２９】
また、左上容器４２の枠５８の右端部と右容器４０の枠１１８の左端部とには、それぞれ仕切り板７２，１２６が設けられているため、使用者が例えば、左上容器４２の枠５８に手を掛けてもこの仕切り板７２によって隣接した枠１１８に手が触れることがなく、左上容器４２のみを引き出すことができ、誤って右容器４０を引き出すことがない。
【００３０】
また、左下容器４４には、枠８８とは別の手かけ部８６が設けられているため、左下容器４４も簡単に引き出すことができる。
【００３１】
また、扉１８，２０を閉めても、枠５８、８８、１１８があるため、ドアポケット２４が、右容器４０、左上容器４２、左下容器４４に直接ぶつかって破損することがない。
【００３２】
（４）変更例
上記実施例の冷蔵庫１０では、左側に上下２段の容器、右側に１個の容器を配置したが、これに限らず左右にそれぞれ２個の容器を上下に配置してもよく、また、右側に上下２段の容器を配置し、左側に１個の容器を配置してもよい。さらに、左右方向に１個づつの容器を配置してもよい。これら容器の配置を代えた場合でも、配置した容器の前面の全体の形状において枠が環状に配置されるようにすればよい。
【００３３】
（５）他の実施形態
請求項１に係る実施形態の冷蔵庫であると、容器の周囲に設けられた枠によって、複数の容器が何処にあるかを容易に視認することができる。
【００３４】
請求項２に係る実施形態の冷蔵庫であると、環状の枠の中に複数の容器があるため、これら容器を容易に視認することができる。
【００３５】
請求項３に係る実施形態の冷蔵庫であると、枠を容器の手かけ部として使用できる。
【００３６】
請求項４に係る実施形態の冷蔵庫であると、仕切り部によって隣接する容器を同時に引き出すことを防止できる。
【００３７】
請求項５に係る実施形態の冷蔵庫であると、下段にある容器は、手かけ部によつて簡単に引き出すことができる。
【００３８】
請求項６に係る実施形態の冷蔵庫であると、扉の裏側に設けられたドアポケットに対して、容器が枠で保護されているため破損することがない。
【００３９】
上記では本発明の一実施形態を説明したが、この実施形態は、例として提示したものであり、発明の範囲を限定することは意図していない。これら新規な実施形態は、その他の様々な形態で実施されることが可能であり、発明の主旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００４０】
１０・・・冷蔵庫、１４・・・冷蔵室、４０・・・右容器、４２・・・左上容器、４４・・・左下容器、４６・・・前面、５８・・・枠、７２・・・仕切り板、７６・・・前面、８６・・・手かけ部、８８・・・枠、１０６・・・前面、１１８・・・枠、１２６・・・仕切り板
【図１】
2012083079.tif 000003
【図２】
2012083079.tif 000004
【図３】
2012083079.tif 000005
【図４】
2012083079.tif 000006
【図５】
2012083079.tif 000007
【図６】
2012083079.tif 000008
【図７】
2012083079.tif 000009
【図８】
2012083079.tif 000010